(57)【要約】【課題】  詰替用ボトルから容器への内容物の詰替え作業の簡易かつ迅速を図ること。【解決手段】  詰替用ボトル２から内容物が補給される外容器１０であって、外容器１０の開口部１１にボトル保持部材７０が設けられ、ボトル保持部材７０は倒立させた詰替用ボトル２の開口部２Ａを外容器１０の開口１０Ａ内に遊挿させた状態で、該詰替用ボトル２の倒立状態を保持するもの。【選択図】  図６
2011037473.tif 000002
【特許請求の範囲】
【請求項１】
詰替用ボトルから内容物が補給される容器であって、
容器の開口部にボトル保持部材が設けられ、ボトル保持部材は倒立させた詰替用ボトルの開口部を容器の開口内に遊挿させた状態で、該詰替用ボトルの倒立状態を保持する容器。
【請求項２】
前記ボトル保持部材が、容器の開口部に取着される取着部と、容器の内外を連通する通路と、詰替用ボトルの開口部を遊挿保持するボトル保持部とを備える請求項１に記載の容器。
【請求項３】
前記ボトル保持部が詰替用ボトルの開口部の内径を遊挿する柱状体からなり、
柱状体の外周に、詰替用ボトルの開口部の内径の周方向の一部だけを立掛け支持する内径支持部と、該詰替用ボトルの開口部の端面の一部だけを突当て支持する端面支持部とを備える請求項２に記載の容器。
【請求項４】
前記内径支持部が柱状体の外周から外方に突き出たリブからなり、
前記端面支持部が柱状体の外周から上記内径支持部のリブよりも外方に突き出たリブからなる請求項３に記載の容器。
【請求項５】
前記容器が外容器であって、外容器の中に内容器を納め、外容器の開口と内容器の開口のそれぞれからそれらの内容物を吐出可能にするとともに、少なくとも外容器の内容物を前記詰替用ボトルから補給可能にする請求項１〜４のいずれかに記載の容器。
【請求項６】
前記ボトル保持部材が、外容器の開口部に取着され、内容器の開口部が接続されるジョイントからなる請求項５に記載の容器。
【請求項７】
前記ジョイントが、外容器の開口部に取着される取着部と、内容器の開口部に接続される接続部と、外容器の開口から吐出される内容物のための外側通路と、内容器の開口から吐出される内容物のための内側通路とを備え、
上記内側通路を形成するノズル部の外周が詰替用ボトルの開口部を遊挿保持するボトル保持部を構成する請求項６に記載の容器。
【請求項８】
前記外容器の内容物が発泡性溶液であり、前記内容器の内容物が空気であり、前記ジョイントの外側通路と内側通路がともに連通する吐出路に泡生成部材を設けてなる請求項７に記載の容器。
【請求項９】
前記ノズル部が形成する内側通路の通路径を、1.0mmを超え1.5mmとする請求項８に記載の容器。
【発明の詳細な説明】
【技術分野】
【０００１】
本発明は容器に関する。
【背景技術】
【０００２】
一般に、内容物を使い切った容器を省資源等のために再利用するとき、それらの容器に詰替用ボトルから内容物を補給することがある。この場合、キャップを外した容器を一方の手で支え、他方の手で持った詰替用ボトルを倒立させてその開口部を容器の開口部に挿入し、詰替用ボトルから容器への内容物の詰替えを行なう。ところが、手により、容器の開口部と詰替用ボトルの開口部の位置を、詰替作業中、定め続けることは困難であり、内容物が周囲に漏出、飛散するおそれがあり、慎重と長時間を必要とする。
【０００３】
そこで、特許文献１に記載の容器では、容器の開口部に詰替用ボトルの開口部を挿入状態で螺合させることにより、内容物の周囲への飛散がなく、しかも迅速な詰替えを行なえるものとしている。
【先行技術文献】
【特許文献】
【０００４】
【特許文献１】特開2000-313423
【発明の概要】
【発明が解決しようとする課題】
【０００５】
特許文献１に記載の容器には以下の不都合がある。
(1)容器の開口部に詰替用ボトルの開口部を単に挿入するだけでなく、螺合させる必要があり、煩雑である。
【０００６】
(2)容器の開口部に詰替用ボトルの開口部を螺合させて行なう内容物の詰替作業時に、容器内の空気を外部へ排出する空気置換経路の確保が困難であり、詰替作業の迅速に限界がある。
【０００７】
本発明の課題は、詰替用ボトルから容器への内容物の詰替え作業の簡易かつ迅速を図ることにある。
【課題を解決するための手段】
【０００８】
請求項１の発明は、詰替用ボトルから内容物が補給される容器であって、容器の開口部にボトル保持部材が設けられ、ボトル保持部材は倒立させた詰替用ボトルの開口部を容器の開口内に遊挿させた状態で、該詰替用ボトルの倒立状態を保持するようにしたものである。
【発明の効果】
【０００９】
詰替用ボトルから容器への内容物の詰替作業時に、容器の開口部に設けてあるボトル保持部材のボトル保持部が、倒立させた詰替用ボトルの開口部を容器の開口内に遊挿させた状態で、該詰替用ボトルの倒立状態を保持する。
【００１０】
容器の開口部に詰替用ボトルの開口部を単に遊挿するだけで該詰替用ボトルの倒立状態が保持され、詰替作業の簡易を図ることができる。
【００１１】
容器の開口部に詰替用ボトルの開口部が遊挿されていて、その遊び部分が容器内の空気を外部へ排出する空気置換通路になるから、詰替え作業の迅速を図ることもできる。
【図面の簡単な説明】
【００１２】
【図１】図１は泡生成容器を示す断面図である。
【図２】図２は泡生成容器の泡生成部を示す断面図である。
【図３】図３は外容器と内容器のジョイントを示し、（Ａ）は上方からの斜視図、（Ｂ）は下方からの斜視図である。
【図４】図４はジョイントを示し、（Ａ）は正面図、（Ｂ）は平面図である。
【図５】図５はジョイントを示し、（Ａ）は図４のＡ−Ａ線に沿う断面図、（Ｂ）は図４のＢ−Ｂ線に沿う断面図である。
【図６】図６は詰め替え用ボトルから泡生成容器への詰め替え状態を示す模式図である。
【図７】図７はジョイントによる詰め替え用ボトルの遊挿保持構造を示し、（Ａ）は断面図、（Ｂ）は平面図である。
【図８】図８はジョイントの変形例を示し、（Ａ）は断面図、（Ｂ）は平面図である。
【発明を実施するための形態】
【００１３】
図１、図２に示す泡生成容器１は、可撓性樹脂からなる外容器１０と可撓性樹脂からなる内容器２０をジョイント３０により接続した二重容器であり、外容器１０に被着されるベースキャップ４０の吐出路４１に泡生成部材５０を設けるとともに、ベースキャップ４０にオーバーキャップ６０を被着している。
【００１４】
泡生成容器１は、外容器１０の中に内袋からなる内容器２０を納め、外容器１０に被着されるベースキャップ４０により外容器１０の開口１０Ａと内容器２０の開口２０Ａを覆う。泡生成容器１は、外容器１０の開口１０Ａからその内容物たる発泡性溶液を吐出するとともに、内容器２０の開口２０Ａからその内容物たる空気を吐出し、これらの発泡性溶液と空気を泡生成部材５０の混合器５１、５２で混合し、この混合液をネットホルダ５３のネットに通して泡とし、この泡をベースキャップ４０の吐出口４０Ａから外部に吐出する。泡生成容器１は、後述する詰め替え用ボトル２を用いて、外容器１０の内容物をその開口１０Ａから該外容器１０に補給可能にする。
【００１５】
以下、(A)外容器１０と内容器２０の接続構造、(B)外容器１０への内容物の詰め替え構造について説明する。
【００１６】
(A)外容器１０と内容器２０の接続構造
泡生成容器１は、図１、図２に示す如く、外容器１０の開口部１１（開口１０Ａを形成）の内側にジョイント３０を打ち込み取着し、このジョイント３０に内容器２０の開口部２１（開口２０Ａを形成）を圧入して接続する。泡生成容器１は、外容器１０の開口部１１の外側にベースキャップ４０を螺着して被着し、ベースキャップ４０の外周にオーバーキャップ６０を螺着して被着し、オーバーキャップ６０の天井内面のプラグ６１をベースキャップ４０の吐出口４０Ａに密に差し込み、泡生成容器１の全体を封止する。
【００１７】
尚、泡生成容器１の生産時に、外容器１０の開口１０Ａの口径より大外径の内容器２０を用意し、この内容器２０の内圧を吸引して小外径化した内容器２０を外容器１０の開口１０Ａから外容器１０内に挿入して納め、挿入された内容器２０の内圧を加圧復元することにより、外容器１０の内部にその開口１０Ａの口径より大外径の内容器２０を納めることができる。ジョイント３０は内容器２０にはその内容器２０が外容器１０内に納められる前から接続されていて、外容器１０には内容器２０が外容器１０内に納められた後に取着される。
【００１８】
ジョイント３０は、図３〜図５に示す如く、外筒部３０Ａの中心部に柱状体３０Ｂを配置するように、外筒部３０Ａの下端内周と柱状体３０Ｂの中間外周の間に架け渡した架橋部３０Ｃを備える。尚、本明細書で容器１及び各構成部品の上下とは、容器１の底部をテーブル上に置いて正立させた状態（図１）で、容器１の天部側を上、容器１の底部側を下という。
【００１９】
ジョイント３０は、外筒部３０Ａを外容器１０の開口部１１の内周に打込み取着される取着部３１とする。取着部３１は、外筒部３０Ａの上端部を外容器１０の開口部１１の上端面の上にまで拡径したフランジ部３１Ａとし、フランジ部３１Ａが開口部１１の上端面に衝合する位置まで開口部１１の内周に打込まれる。
【００２０】
ジョイント３０は、柱状体３０Ｂの下端部を内容器２０の開口部２１に接続される接続部３２とする。接続部３２は、柱状体３０Ｂの中心軸まわりにて２重筒をなすように下向きに突出する内筒部３２Ａと外筒部３２Ｂからなり、内筒部３２Ａと外筒部３２Ｂの環状間隙を下向きに開き、この環状間隙に内容器２０の開口部２１を圧入して接続させる。
【００２１】
ジョイント３０は、外筒部３０Ａと柱状体３０Ｂの上下に貫通する環状間隙であって、架橋部３０Ｃにより遮られない空間を、外容器１０の内部に連通し、外容器１０の開口１０Ａから吐出される発泡性溶液のための外側通路３３とする。
【００２２】
ジョイント３０は、柱状体３０Ｂを中空状のノズル部３５とし、ノズル部３５の上下に貫通する中空孔を、内容器２０の内部に連通し、内容器２０の開口２０Ａから吐出される空気のための内側通路３４とする。
【００２３】
泡生成容器１にあっては、外容器１０の中に内容器２０を納め、内容器２０の開口部２１に接続したジョイント３０を外容器１０の開口部１１に取着した状態で、ジョイント３０の上述の外側通路３３と内側通路３４は外容器１０及び内容器２０の開口１０Ａ、２０Ａの上部外方に臨むものになる。そして、この外容器１０の開口部１１の外側にベースキャップ４０を螺着して被着すると、泡生成部材５０（混合器５１、５２、ネットホルダ５３）が内蔵されているベースキャップ４０の吐出路４１がジョイント３０の上述の外側通路３３と内側通路３４にともに連通するものになる。
【００２４】
従って、泡生成容器１の使用時に、使用者が手指で上下反転した泡生成容器１の外容器１０を絞り、外容器１０の内圧が高まると、この外容器１０の内圧が外容器１０内の発泡性溶液を開口１０Ａからジョイント３０の外側通路３３経由でベースキャップ４０の吐出路４１に吐出するとともに、外容器１０の内圧により絞られる内容器２０内の空気も開口２０Ａからジョイント３０の内側通路３４経由でベースキャップ４０の吐出路４１に吐出される結果、これらの泡生成溶液と空気が吐出路４１の泡生成部材５０により混合発泡せしめられ、ベースキャップ４０の吐出口４０Ａから外部に吐出される。
【００２５】
そして、外容器１０の内容物を補給するときには、外容器１０の開口部１１からベースキャップ４０を外すだけで、外容器１０の開口部１１に取着されているジョイント３０を外部に露出させれば、詰替用ボトル２の発泡性溶液をジョイント３０の外側通路３３から外容器１０内に補給できる。
【００２６】
泡生成容器１によれば、以下の作用効果を奏する。
(a)ベースキャップ４０を被着した外容器１０の開口部１１にジョイント３０を取着し、このジョイント３０に内容器２０の開口部２１を接続した。従って、ベースキャップ４０を外容器１０から外しても、内容器２０はジョイント３０により依然として外容器１０の中に納められる。よって、内容器２０を外容器１０から引き出さずに、外容器１０に内容物を補給できる。
【００２７】
(b)上述(a)により、外容器１０に内容物を補給するとき、外容器１０から内容器２０が引き出されることがなく、内容器２０の外面に付着している外容器１０の内容物が周辺を汚すことがない。
【００２８】
(c)上述(a)により、内容器２０を外容器１０から引き出す必要がないから、内容器２０の外径を外容器１０の開口径より小さくする必要がなく、内容器２０の内容量が制限されない。
【００２９】
(d)ベースキャップ４０に泡生成部材５０を設けた泡生成容器１で、上述(c)により、内容器２０の内容物たる空気容量を必要十分に多くし、泡生成を良好にすることができる。
【００３０】
(B)外容器１０への内容物の補給構造
泡生成容器１は、外容器１０の開口部１１に取着したジョイント３０をボトル保持部材７０として兼用する。ボトル保持部材７０たるジョイント３０は、前述の通り、外容器１０の開口部１１に取着される取着部３１と、内容器２０の開口部２１に接続される接続部３２と、外容器１０の開口１０Ａから吐出される発泡性溶液のための外側通路３３と、内容器２０の開口２０Ａから吐出される空気のための内側通路３４とを備え、内側通路３４を形成するノズル部３５（柱状体３０Ｂ）の外周が詰め替え用ボトル２の開口部２Ａの内径を遊挿保持するボトル保持部７１を構成する。これにより、ボトル保持部材７０たるジョイント３０は、図６、図７に示す如く、使用者の手指で倒立させた詰め替え用ボトル２の開口部２Ａを外容器１０の開口１０Ａ内に位置する上述のボトル保持部７１に遊挿させた状態で、詰替用ボトル２から手指を離しても、その詰替用ボトル２の倒立状態を保持する。
【００３１】
ここで、ボトル保持部材７０たるジョイント３０のボトル保持部７１は上述の如くにジョイント３０のノズル部３５を形成している柱状体３０Ｂからなるものとされる。ボトル保持部７１は、柱状体３０Ｂの外周に、詰替用ボトル２の開口部２Ａの内径の周方向の一部だけを立掛け支持する内径支持部７２Ａと、詰替用ボトル２の開口部２Ａの端面の一部だけを突当て支持する端面支持部７２Ｂとを備える。本実施例では、詰替用ボトル２の開口部２Ａをジョイント３０のボトル保持部７１たる柱状体３０Ｂ（ノズル部３５）に同軸的に遊挿可能にするように、柱状体３０Ｂの外周の周方向で例えば90度間隔をなす４位置のそれぞれにＬ字板状のリブ体７３を設ける。４個のリブ体７３は柱状体３０Ｂの外周から外方に突出する十字放射状をなす。各リブ体７３は、柱状体３０Ｂの架橋部３０Ｃから軸方向に離れた先端側に設けられて柱状体３０Ｂの外周から外方への突出量が小さい小リブ７３Ａと、柱状体３０Ｂの架橋部３０Ｃ寄りに設けられて柱状体３０Ｂの外周から外方への吐出量が小リブ７３Ａよりも大きい大リブ７３Ｂとを備え、小リブ７３ＡをＬ字の縦辺部とし、大リブ７３ＢをＬ字の横辺部としている。そして、ボトル保持部７１の内径支持部７２Ａが柱状体３０Ｂの外周から外方に突き出た小リブ７３Ａの側面からなり、端面支持部７２Ｂが柱状体３０Ｂの外周から小リブ７３Ａよりも外方に突き出た大リブ７３Ｂの上面からなるものとしている。ジョイント３０の平面視（図７（Ｂ））で、柱状体３０Ｂの４個の内径支持部７２Ａ（小リブ７３Ａ）に外接する円の外径は詰替用ボトル２の開口部２Ａの内径より少し小径をなし、４個の端面支持部７２Ｂ（大リブ７３Ｂ）に外接する円の外径は詰替用ボトル２の開口部２Ａの端面の外径より少し大径をなす。
【００３２】
これにより、泡生成容器１にあっては、外容器１０の開口部１１からベースキャップ４０を外し、詰替用ボトル２から外容器１０に内容物を補給するとき、倒立させた詰替用ボトル２の開口部２Ａの内径の一部をボトル保持部７１の内径支持部７２Ａ（柱状体３０Ｂのリブ体７３の小リブ７３Ａの側面）に立掛け支持し、詰替用ボトル２の開口部２Ａの端面の一部をボトル保持部７１の端面支持部７２Ｂ（柱状体３０Ｂのリブ体７３の大リブ７３Ｂの上面）に突当て支持する。ボトル保持部７１の内径支持部７２Ａと端面支持部７２Ｂが、図７（Ａ）に示す如く、ボトル保持部７１たる柱状体３０Ｂ（ノズル部３５）に遊挿される詰替用ボトル２の開口部２Ａの内径及び端面と該ボトル保持部７１（柱状体３０Ｂ、ノズル部３５）との間に通路３を形成し、この通路３が詰替用ボトル２から外容器１０への発泡性溶液の流出通路になり、同時に、外部から詰替用ボトル２へ流入する空気の置換通路になる。
【００３３】
更に、泡生成容器１にあっては、詰替用ボトル２の開口部２Ａをジョイント３０のボトル保持部７１たる柱状体３０Ｂ（ノズル部３５）に遊挿し、詰替用ボトル２の発泡性溶液を該ボトル保持部７１（柱状体３０Ｂ、ノズル部３５）の周囲の通路３から外容器１０へ流出させるとき、詰替用ボトル２の発泡性溶液が内容器２０へ浸入することのないように、ノズル部３５が形成する内側通路３４の通路径（ノズル径３５Ａ）を、1.0mmを超え1.5mmとする。
【００３４】
即ち、上述の泡生成容器１において、内容器２０を内袋の形態とし、内容物が充填されていない外容器１０の重量を13ｇ、内容物が充填されていない内容器２０の容量を72mlとし、詰替用ボトル２の発泡性溶液をノズル部３５のノズル径３５Ａが開口する上端面の全体に降りかかるように吐出する実験を行ない、この実験によって内容器２０の外表面に付着した溶液を除いた状態にし、実験前後の内容器２０の重量（内袋重量）を測定し、その測定値の差をノズル部３５のノズル径３５Ａから内容器２０への液浸入量とした。ノズル部３５の各種ノズル径３５Ａ（1.0、1.5、2.0、2.5、3.0mm）について、表１〜表５の結果を得た。
【００３５】
【表１】
2011037473.tif 000003
【００３６】
【表２】
2011037473.tif 000004
【００３７】
【表３】
2011037473.tif 000005
【００３８】
【表４】
2011037473.tif 000006
【００３９】
【表５】
2011037473.tif 000007
【００４０】
表６は、表１〜表５の結果に基づく各種ノズル径３５Ａに対応する内容器２０への液浸入量の良否を示すものであり、ノズル径３５Ａを、1.0mmを超え1.5mmとするとき、内容器２０への液浸入量を少なくしながら、外容器１０への液詰替え後に内容器２０の内袋形状を復元するための内容器２０への外気吸入性（エアバック）も良好にできることを認めた。
【００４１】
【表６】
2011037473.tif 000008
【００４２】
泡生成容器１によれば、以下の作用効果を奏する。
(a)詰替用ボトル２から外容器１０への内容物の詰替え作業時に、外容器１０の開口部１１に取着してあるボトル保持部材７０のボトル保持部７１が、倒立させた詰替用ボトル２の開口部２Ａを外容器１０の開口１０Ａに遊挿させた状態で、該詰替用ボトル２の倒立状態を保持する。
【００４３】
外容器１０の開口部１１に詰替用ボトル２の開口部２Ａを単に遊挿するだけで該詰替用ボトル２の倒立状態が保持され、詰替え作業の簡易を図ることができる。
【００４４】
外容器１０の開口部１１に詰替用ボトル２の開口部２Ａが遊挿されていて、その遊び部分が外容器１０内の空気を外部へ排出する空気置換通路になるから、詰替え作業の迅速を図ることもできる。
【００４５】
(b)ボトル保持部材７０のボトル保持部７１が詰替用ボトル２の開口部２Ａの内径を遊挿する柱状体３０Ｂからなり、柱状体３０Ｂの外周に、詰替用ボトル２の開口部２Ａの内径の周方向の一部だけを立掛け支持する内径支持部７２Ａと、該詰替用ボトル２の開口部２Ａの端面の一部だけを突当て支持する端面支持部７２Ｂとを備える。ボトル保持部７１の内径支持部７２Ａが倒立状態の詰替用ボトル２を確実に立掛け支持し、ボトル保持部７１の内径支持部７２Ａと端面支持部７２Ｂがボトル保持部７１に遊挿される詰替え用ボトル２の開口部２Ａの内径及び端面と該ボトル保持部７１との間に内容物の流出通路３及び該ボトル２のための空気置換通路３を確保し、詰替え作業の簡易かつ迅速を図ることができる。
【００４６】
(c)外容器１０の中に内容器２０を納めた容器１で、詰替用ボトル２から外容器１０への内容物の詰替え作業時に、上述(a)、(b)を実現できる。
【００４７】
(d)上述(c)において、外容器１０の開口部１１に取着され、内容器２０の開口部２１が接続されるジョイント３０を、詰替用ボトル２のためのボトル保持部材７０として兼用できる。
【００４８】
(e)上述(d)において、外容器１０と内容器２０のジョイント３０をボトル保持部材７０として用いるとき、ジョイント３０の内側通路３４を形成するノズル部３５の外周を、詰替用ボトル２のためのボトル保持部７１として利用できる。
【００４９】
(f)泡生成容器１で、上述(e)を実現できる。
【００５０】
(g)上述(f)の泡生成容器１で、ジョイント３０の内側通路３４を形成するノズル部３５の通路径を、1.0mmを超え1.5mmとすることにより、詰替用ボトル２の開口部２Ａをボトル保持部７１になるノズル部３５の外周に立掛け支持しても、詰替用ボトル２の内容物は外容器１０にだけ補給され、内容器２０へ浸入することを抑制できる。
【００５１】
図８は、ボトル保持部材７０たるジョイント３０の変形例を示す断面図である。図８の変形例が図７の実施例と異なる点は、詰替用ボトル２の開口部２Ａをジョイント３０のボトル保持部７１たる柱状体３０Ｂ（ノズル部３５）に偏心して遊挿するようにしたことにある。即ち、柱状体３０Ｂの外周を２分した一方の半周側にＬ字板状のリブ体８１を２個設け、各リブ体８１は柱状体３０Ｂの架橋部３０Ｃから軸方向に離れた先端側に設けられて柱状体３０Ｂの外周から外方への突出量が小さい小リブ８１Ａと、柱状体３０Ｂの架橋部３０Ｃ寄りに設けられて柱状体３０Ｂの外周から外方への突出量が小リブ８１Ａよりも大きい大リブ８１Ｂとを備え、小リブ８１ＡをＬ字の縦片部とし、大リブ８１ＢをＬ字の横片部としている。また、柱状体３０Ｂの外周の他方の半周側で、リブ体８１の大リブ８１Ｂと同一高さ位置に、矩形板状のリブ体８２を設ける。ジョイント３０の平面視（図８（Ｂ））で、柱状体３０Ｂの一方の半周側の２個のリブ体８１の小リブ８１Ａと、柱状体３０Ｂの他方の半周側の外周とに外接する円の外径は詰替用ボトル２の開口部２Ａの内径より少し小径をなし、２個のリブ体８１の大リブ８１Ｂと２個のリブ体８２とに外接する円の外径は詰替用ボトル２の開口部２Ａの端面の外径より少し大径をなす。これにより、ジョイント３０の柱状体３０Ｂの外周から外方に突き出るリブ体８１の小リブ８１Ａの側面によりボトル保持部７１の内側支持部７２Ａが構成され、柱状体３０Ｂの外周から小リブ８１Ａよりも外方に突き出るリブ体８１の大リブ８１Ｂ及びリブ体８２の上面によりボトル保持部７１の端面支持部７２Ｂが構成されるものになる。
【００５２】
尚、本発明の容器は泡生成容器であることを必須としないし、外容器の中に内容器を納める２重容器であることも必須としない。
【００５３】
また、本発明の容器は、ボトル保持部材として、外容器と内容器のジョイントを兼用することを必須としない。
【産業上の利用可能性】
【００５４】
本発明は、倒立させた詰替用ボトルの開口部を容器の開口内に遊挿させた状態で保持するボトル保持部材を有することにより、詰替用ボトルから容器への内容物の詰替え作業の簡易かつ迅速を図ることができる。
【符号の説明】
【００５５】
１  泡生成容器
２  詰替用ボトル
２Ａ  開口部
１０  外容器
１０Ａ  開口
１１  開口部
２０  内容器
２０Ａ  開口
２１  開口部
３０  ジョイント
３０Ｂ  柱状体
３１  取着部
３２  接続部
３３  外側通路
３４  内側通路
３５  ノズル部
３５Ａ  ノズル径
４０  キャップ
４１  吐出路
５０  泡生成部材
７０  ボトル保持部材
７１  ボトル保持部
７２Ａ  内径支持部
７２Ｂ  端面支持部
７３Ａ、７３Ｂ、８１Ａ、８１Ｂ  リブ
【図１】
2011037473.tif 000009
【図２】
2011037473.tif 000010
【図３】
2011037473.tif 000011
【図４】
2011037473.tif 000012
【図５】
2011037473.tif 000013
【図６】
2011037473.tif 000014
【図７】
2011037473.tif 000015
【図８】
2011037473.tif 000016